(57)【特許請求の範囲】
【請求項１】
鋼帯を成形して得たオープンパイプを溶接して得た電縫管の内面に発生する溶接内面ビードをバイトにより切削する装置において、その内面ビードを切削するバイトを設置したカッタボディの切削量を制御する為に電縫管長手方向に配した油圧シリンダに油圧圧力を供給し、該油圧圧力を遠隔で制御し、バイト下流側に配したロールの下部に退避用スプリングを設置して、緊急対応を可能とし、切削用カッタボディを油圧で遠隔に制御する為に、カッタボディに油圧シリンダ及び退避用スプリングを装着し、油圧シリンダに加える油圧圧力により切削量の制御を行うことを特徴とする鋼管内ビード切削遠隔操作装置。
【請求項２】
管状に成形された帯鋼のエッジ部を加熱し加圧ロ−ルによって加圧圧接されることにより溶接され連続的に電縫管にする方法において、内面ビ−ドを切削する為に圧延スタンドに固定されたブラケットに脱着自由に装着されたマンドレルバ−の先にビード切削バイトを設けたカッタボディを装着し、このカッタボディには鋼管長手方向に油圧シリンダを内蔵しており、その油圧シリンダに圧力を供給する油圧ユニットが配管により連結され、油圧ユニットより油圧圧力が供給されて配管を経由して油圧シリンダが動作し、その結果、カムを経由してビ−ドを切削するバイトの反対側に設置したロ−ルを駆動させ、バイト下流側に配したロ−ルの下部に退避用スプリングを設置して、緊急対応を可能としたことを特徴とする鋼管内面ビ−ド切削遠隔操作方法。
【発明の詳細な説明】
【０００１】
【産業上の利用分野】
本発明は電縫管の内面ビ−ド切削方法及びその装置に関する。
【０００２】
【従来の技術】
従来の内面ビードの切削を遠隔で制御する方法としては、造管中におけるスケルプの板厚を連続に測定し、その測定値より内面ビード切削用バイトの下部に配したシリンダによりビ−ド切削高さを制御する（例えば特開昭60-131107 号）や、カッタボディのロ−ルを昇降移動させる昇降装置を設け、昇降装置の昇降位置を調整する位置決め駆動装置を鋼管の外部に配置し、位置決め駆動装置と昇降装置を遠隔の昇降装置により駆動軸により連結・制御する方法（例えば実開昭63-172514 号）や、流体圧シリンダにより管径方向に可動となすロ−ルを備えたユニットを外部流体圧制御により制御して内面ビード形状を制御する方法（例えば特開平6-134613号）などが提案されている。
【０００３】
以上の様に駆動軸あるいは流体圧によりバイトやバイトと反対に配したロ−ルを制御してビ−ド切削量を制御する方法が提唱されているが、幅広い肉厚変動や連続造管停止時のバイトの欠け回避については十分な対応がなれておらず、加えてビ−ド切削量制御機構の構造より小径サイズへの実用化には結びついていない。
【０００４】
【発明が解決しようとする課題】
例えば電縫管内面ビ−ド切削量を制御する為には連続造管時、管内面にカッタボディが有るためバイトの切削量調整を実施することが不可能で有るため、切削量調整を実施するにはかならず造管停止させて調整する必要があった。加えて連続造管時、他要因により造管停止した際、停止によるショックでバイトが欠損し、原単位低下の大きな問題となっていた
【０００５】
一方、従来技術の電縫管内面ビ−ド切削遠隔制御は前述の様な方法であることから、特に小径サイズでは制御範囲が狭く、幅の広い肉厚変動には対応出来ないことに加え、連続造管停止時の瞬間的なバイト退避については述べられていない。この発明の目的は、電縫管内面ビ−ド切削を遠隔で特に小径サイズにおいてビ−ド切削量調整のみならず造管停止時のバイト退避を行うことが可能で、かつ高い精度の制御方法及びその装置を提供することである。
【０００６】
【課題を解決するための手段】
本発明者らは、上記目的を達成すべく種種試験を重ねた。その結果、鋼管長手方向にシリンダを配しバイトと反対方向にシリンダと接触したカムにより昇降するロールを配することで可動範囲を広くとれることを確認した。また、バイト下流側に配したロールの下にスプリングを入れることで、圧力リリーフ時も瞬間的にバイト退避が可能であることを究明し、この発明に到達した。
【０００７】
すなわち本発明はたとえば鋼帯を成形して得たオープンパイプを溶接して得た電縫管の内面に発生する溶接内面ビードを切削する方法において、特に小径電縫管で内面ビードを切削するカッタボディを鋼管長手方向に配した油圧シリンダ及びバイト下流側に配したロールの下にスプリングを入れることで内面ビード切削可動範囲を広くかつ瞬間的なバイト退避を可能とすることを特徴とする鋼管内面ビード切削遠隔操作方法及びその装置である。
【０００８】
【発明の実施の形態】
この発明においては、鋼帯を成形して得たオープンパイプを溶接して得た電縫管の内面ビード切削する方法において、その内面ビードを切削するカッタボディの切削量を制御する為に電縫管長手方向に配した油圧シリンダに油圧圧力を供給し、油圧圧力を遠隔で制御する。また、バイト下流側に配したロールの下にスプリングを入れることから瞬間的なバイト退避を可能とすることが出来る。
【０００９】
この発明において油圧シリンダを電縫管長手方向に設置したのは、ＩＤビ−ド切削可動範囲を広くとるためである。この為、従来１外径を連続造管する場合には最低２〜３種類の大きさの異なるカッタボディにより対応していたものが、この１種類で対応出来ることとなる。また、ＩＤビ−ドは高さがあることから、可動範囲が狭いとカッタボディを退避させてもビ−ドの先端でバイトを微小に欠損させることが発生する。その様な可動範囲ではＩＤバイト原単位を悪化させて好ましくない。
【００１０】
この発明において、バイト下流側に配したロールの下にスプリングを設置したのは、連続造管停止時のバイト緊急退避がカッタボディの自重だけでは困難であるため、油圧シリンダを負圧にして退避すると周知の事実である様に空気を巻き込みその後の制御が不能となる。この為、油圧シリンダ圧力が０Ｋｇｆ／ｃｍ２となった場合に緊急で退避出来る様にバイト下流側に配したロールの下にスプリングを設置する。
【００１１】
【実施例】
以下、本発明による電縫管内面ビ−ド切削方法を図面に基づき詳細に説明する。
図１は本発明を適用した電縫鋼管製造及び内面ビ−ド切削遠隔操作を示す図である。
帯鋼１は成形ロ−ル２により管状に成形された後、ワ−クコイル３で管状に成形された帯鋼１のエッジ部を加熱し加圧ロ−ル４によって加圧圧接されることにより溶接され連続的に電縫管になる。その際エッジ部加圧圧接されることから生じるビ−ドを切削する為に圧延スタンド５に固定されたブラケット６に脱着自由に装着されたマンドレルバ−７の先にカッタボディ８が装着されている。このカッタボディ８には鋼管長手方向に油圧シリンダ９を内蔵しており、その油圧シリンダに圧力を供給する油圧ユニット１０が配管１１により連結されている。油圧ユニット１０より油圧圧力が供給されると配管１１を経由して油圧シリンダ９が動作する。その結果、カム１２、１３を経由してビ−ドを切削するバイト１４の反対側に設置したロ−ル１５を駆動させる。さらに、連続造管停止時などバイトを被削物であるビ−ドから緊急に退避させる必要が有る場合、切削装置の自重での退避であることから困難であるが、バイト下流側に配したロ−ル１６の下部に退避用スプリング１７を設置して、緊急対応を可能としている。
【００１２】
図２に油圧ユニットの油圧回路図例を示す。この油圧ユニットにより任意の圧力によりビ−ド切削形状をコントロ−ル出来る。油圧ポンプ２１により昇圧された油圧圧力は２方弁２２によりカッタボディ２５に供給の入−切を行う。カッタボディ２５に供給される圧力は比例電磁弁２３により圧力制御実施し、その圧力値は圧力表示計２４により表示して制御実施する。
【００１３】
図３にφ６３．５の電縫管に適用した場合の適正圧力設定値を示す。本願発明では、内径φ１６のシリンダに対し、油圧圧力１６０から２００Ｋｇｆ／ｃｍ2 の間で制御し、ロ−ラ部反力３００Ｋｇ程度が最も良好なビ−ド切削形状を得る。
以上の結果より、本発明によって電縫管内面ビ−ド切削を遠隔制御かつ良好なビ−ド切削形状で切削出来、従来法に比較して、可動範囲を広くとれ、圧力リリ−フ時も瞬間的にバイト退避が可能かつ小径サイズに適用可能出来る。
【００１４】
【発明の効果】
以上述べたとおり、本発明の装置及び方法によれば、電縫管内面ビ−ド切削を遠隔制御かつ良好なビ−ド切削形状で切削でき、従来法に比較して、可動範囲を広くとれ、圧力リリ−フ時も瞬間的にバイト退避が可能かつ小径サイズに適用可能とすることができることから高品質の電縫管を製造を可能とする。
【図面の簡単な説明】
【図１】本発明を適用した電縫鋼管製造装置及び内面ビ−ド切削遠隔操作方法を示す図である。
【図２】実施例における油圧ユニットの油圧回路図例である。
【図３】実施例におけるφ６３．５の電縫管に適用した場合の適正圧力設定値である。
【符号の説明】
１    帯鋼
２    成形ロ−ル
３    ワ−クコイル
４    加圧ロ−ル
５    圧延スタンド
６    ブラケット
７    マンドレルバ−
８    カッタボディ
９    油圧シリンダ
１０    油圧ユニット
１１    配管
１２    カム
１３    カム
１４    バイト
１５    ロ−ル
１６    ロ−ル
１７    退避用スプリング
２１    油圧ポンプ
２２    ２方弁
２３    比例電磁弁
２４    圧力表示計
２５    カッタボディ
【図１】
0004076279.tif 000002
【図２】
0004076279.tif 000003
【図３】
0004076279.tif 000004